(57)【特許請求の範囲】
【請求項１】
放射線を照射する放射線源と被検体を透過してきた放射線を検出する検出器とで構成される撮像系と、被検体の透視像をリアルタイムに動画として表示する表示手段とを備えた放射線撮影装置に備えられるコンソールにおいて、
被検体に対する前記撮像系の移動に関する術者の指示を入力させる撮像系操作レバーを備え、
術者による動画の保存の指示を入力する保存指示入力手段が前記撮像系操作レバーに設けられていることを特徴とするコンソール。
【請求項２】
請求項１に記載のコンソールにおいて、
前記保存指示入力手段が前記撮像系操作レバーの上部に設けられていることを特徴とするコンソール。
【請求項３】
請求項１または請求項２に記載のコンソールにおいて、
前記放射線源から照射される放射線の広がりを制限するコリメータの開度に関する術者の指示を入力させるコリメータ操作入力手段を備えることを特徴とするコンソール。
【請求項４】
請求項１ないし請求項３のいずれかに記載のコンソールにおいて、
被検体を載置する天板の傾きに関する術者の指示を入力させる天板操作入力手段を備えることを特徴とするコンソール。
【請求項５】
請求項１ないし請求項４のいずれかに記載のコンソールを備えることを特徴とする放射線撮影装置。
【請求項６】
請求項５に記載の放射線撮影装置において、
前記保存指示入力手段を通じた術者の指示があった時点からの動画を保存することを特徴とする放射線撮影装置。
【請求項７】
請求項５に記載の放射線撮影装置において、
前記保存指示入力手段を通じた術者の指示があった時点までの動画を保存することを特徴とする放射線撮影装置。
【発明の詳細な説明】
【技術分野】
【０００１】
本発明は、動画撮影に用いられるコンソールおよびそれを備えた放射線撮影装置に関する。
【背景技術】
【０００２】
図９は、従来構成の放射線撮影装置を示している。図９の装置は、被検体を載置する天板５２と、放射線を照射する放射線源５３と、放射線を検出する検出器５４とを備えている。この様な放射線撮影装置は、被検体の透視をリアルタイムで行い、透視像の動画を撮影することで現在の被検体の内部構造を知ることができる撮影モードが用意されている（例えば特許文献１参照）。この様な撮影は透視撮影またはＤＡ撮影などと呼ばれ、放射線像が動画として撮影される。このような動画撮影は、医療において様々な場面で行われる。動画撮影が行われる例としては、嚥下造影検査がある。嚥下造影検査は、被検体が食べ物を正常に飲み込めるかを調べることを目的とした検査であり、被検体がバリウム入りの疑似食品を飲みこむ様子の動画を撮影するというものである。
【０００３】
図１０は、装置に設けられるコンソールを表している。従来のコンソールは、撮像系操作レバーと記録ボタンとを備えている。撮像系操作レバーは、術者の操作を入力するヒューマンインターフェースであり、このレバーを操作すると放射線源５３と検出器５４とから構成される撮像系を天板５２に対して移動させることができる。撮像系の移動は、動画撮影中も可能である。
【０００４】
記録ボタンも術者の操作を入力するヒューマンインターフェースであり、このボタンを操作すると、動画の記録が開始される。動画は、動画ファイルとして記録され、嚥下造影検査の結果として撮影後の診断に利用される。動画撮影の一部始終を自動的に記録する構成だと、撮影準備など診断に無関係の場面も動画ファイルとして記録されてしまう。したがって、従来装置は動画撮影中に動画の記録の開始を術者が指示できるように構成されている。この記録ボタンは、動画撮影中に操作されるボタンとなっている。
【先行技術文献】
【特許文献】
【０００５】
【特許文献１】特開２００７−１８５２３８号公報
【発明の概要】
【発明が解決しようとする課題】
【０００６】
しかしながら、従来構成では、次のような問題点がある。
すなわち、従来構成のコンソールでは、動画の記録を開始しようとするときの操作性がよいとはいえない。
【０００７】
動画撮影中の術者は、動画を表示するモニタを見ている。時々刻々と変化する被検体の透視像を監視する必要があるからである。また、動画撮影中の術者の手は、撮像系操作レバーを握っている。被検体が飲み込んだバリウム入りの疑似食品が移動する様子を追跡するときに、撮像系を被検体に対して動かす必要があるからである。
【０００８】
図１１は、動画撮影中の術者が記録の開始の必要性があると認識した場合に、術者がどのような行動をとるかをフローチャートで表している。図１１を参照すると、術者の動作はかなりもたついたものであることがわかる。術者が動画記録の必要性を認識すると、まず、術者は視線をモニタからコンソールに移さなければならない。コンソール上の記録ボタンの位置を知る必要性からである。その後、術者は、手を撮像系操作レバーから離して記録ボタンまで移動させる。最後に術者は記録ボタンを押下する。
【０００９】
術者がこのようなもたついた動作をしている間に時間は経過する。したがって、従来構成のコンソールでは、術者が動画の記録を速やかに開始できず、動画における診断に必要な場面を十分に記録することができない。
【００１０】
本発明は、この様な事情に鑑みてなされたものであって、その目的は操作性がよく、動画の記録を速やかに始めることができるコンソールを提供することにある。
【課題を解決するための手段】
【００１１】
本発明は上述の課題を解決するために次のような構成をとる。
すなわち、本発明に係るコンソールは、放射線を照射する放射線源と被検体を透過してきた放射線を検出する検出器とで構成される撮像系と、被検体の透視像をリアルタイムに動画として表示する表示手段とを備えた放射線撮影装置に備えられるコンソールにおいて、被検体に対する撮像系の移動に関する術者の指示を入力させる撮像系操作レバーを備え、術者による動画保存の指示を入力する保存指示入力手段が撮像系操作レバーに設けられていることを特徴とするものである。
【００１２】
［作用・効果］本発明のコンソールは、保存指示入力手段が撮像系操作レバーに設けられている。動画撮影中における術者の手は撮像系操作レバーを握っているので、術者は、撮像系操作レバーから手を離さずに保存指示入力手段を操作することができる。術者は、撮像系操作レバーに保存指示入力手段が設けられていることを予め知っているので、コンソールに視線を移すことなく表示手段を視認したまま保存指示入力手段を操作することができる。本発明のコンソールによれば、動画撮影中の術者が動画記録の開始をしたい場合、よそ見をすることなく直ちに記録を開始することができるので、動画における診断に必要な場面を確実に記録することができる。
【００１３】
また、上述のコンソールにおいて、保存指示入力手段が撮像系操作レバーの上部に設けられていればより望ましい。
【００１４】
［作用・効果］上述の構成は、本発明のコンソールをより具体的に示したものとなっている。保存指示入力手段が撮像系操作レバーの上部に設けられていれば、術者が撮像系操作レバーを操作中に誤って保存指示入力手段を操作してしまうことが抑制できる。
【００１５】
また、上述のコンソールにおいて、放射線源から照射される放射線の広がりを制限するコリメータの開度に関する術者の指示を入力させるコリメータ操作入力手段を備える構成とすることもできる。
【００１６】
また、上述のコンソールにおいて、被検体を載置する天板の傾きに関する術者の指示を入力させる天板操作入力手段を備える構成とすることもできる。
【００１７】
［作用・効果］
上述の構成は、本発明のコンソールをより具体的に示したものとなっている。本発明のコンソールは撮像系操作レバー以外の他のヒューマンインターフェースを備えることができる。
【００１８】
また、本発明に係るコンソールを備えた放射線撮影装置は、保存指示入力手段を通じた術者の指示があった時点からの動画を保存するようにしてもよいし、保存指示入力手段を通じた術者の指示があった時点までの動画を保存するようにしてもよい。本発明は必要に応じて態様を変化させることが可能である。
【発明の効果】
【００１９】
本発明のコンソールは、保存指示入力手段が撮像系操作レバーに設けられている。動画撮影中における術者の手は撮像系操作レバーを握っているので、術者は、撮像系操作レバーから手を離さずに保存指示入力手段を操作することができる。術者は、撮像系操作レバーに保存指示入力手段が設けられていることを予め知っているので、コンソールに視線を移すことなく表示手段を視認したまま保存指示入力手段を操作することができる。本発明のコンソールによれば、動画撮影中の術者が動画記録の開始をしたい場合、よそ見をすることなく直ちに記録を開始することができるので、動画における診断に必要な場面を確実に記録することができる。
【図面の簡単な説明】
【００２０】
【図１】実施例１に係るＸ線撮影装置の全体構成を説明する機能ブロック図である。
【図２】実施例１に係る撮像系の移動について説明する模式図である。
【図３】実施例１に係る天板の回転について説明する模式図である。
【図４】実施例１に係るコリメータの開閉について説明する模式図である。
【図５】実施例１に係るコンソールについて説明する模式図である。
【図６】実施例１に係るコンソールの特徴について説明する模式図である。
【図７】実施例１に係る装置を用いた検査について説明するフローチャートである。
【図８】本発明の１変形例の構成を説明するタイミングチャートである。
【図９】従来構成の放射線撮影装置について説明する模式図である。
【図１０】従来構成のコンソールについて説明する模式図である。
【図１１】従来構成に係る装置を用いた検査について説明するフローチャートである。
【実施例１】
【００２１】
以降、本発明の実施例を説明する。実施例におけるＸ線は、本発明の放射線に相当する。また、ＦＰＤは、フラット・パネル・ディテクタの略であり、動画は、本発明の動画に相当する。なお、本発明のコンソールの特徴を強調する目的で以下の実施例は嚥下造影検査について説明している。
【００２２】
＜Ｘ線撮影装置の全体構成＞
まず、実施例１に係るＸ線撮影装置１の構成について説明する。Ｘ線撮影装置１は、図１に示すように臥位の被検体Ｍを載置する天板２と、天板２の上側に設けられたＸ線を照射するＸ線管３と、天板２の下側に設けられるとともに被検体Ｍを透過してきたＸ線を検出するＦＰＤ４とを備えている。ＦＰＤ４は、被検体Ｍの体軸方向Ａまたは体側方向Ｓのいずれかに沿った４つの辺を有する矩形となっている。また、Ｘ線管３は、放射状に広がる四角錐状のＸ線ビームをＦＰＤ４に向けて照射する。Ｘ線管３は本発明の放射線源に相当する。
【００２３】
支柱５は、Ｘ線管３，コリメータ３ａ，およびＦＰＤ４から構成される撮像系３，３ａ，４を支持している。支柱５は、撮像系移動機構１３に駆動され天板２に対し被検体Ｍの体軸方向Ａに移動することができる。このように撮像系移動機構１３は、天板２に対しＸ線管３とＦＰＤ４とを一体的に天板２の長手方向に移動させる機構である。このような移動をさせることにより被検体Ｍに対するＸ線撮影を行う位置が変更できる。撮像系移動制御部１４は、撮像系移動機構１３を制御する目的で設けられている。図２は、撮像系移動機構１３が支柱５ごと撮像系３，３ａ，４を移動させる様子を示している。従って、撮像系移動機構１３が駆動したとしてもＸ線管３，コリメータ３ａ，およびＦＰＤ４および支柱５の位置関係に変化はない。
【００２４】
天板支持体７は、検査室の床面から鉛直方向に延びた部材であり、天板２を回転自在に支持する。天板２の回転は、天板支持体７に設置された天板回転機構９により実現される。天板回転制御部１０は、天板回転機構９を制御する目的で設けられている。この天板回転制御部１０は、操作卓２６の入力に従って天板回転機構９を制御する構成となっている。
【００２５】
図３は、天板回転機構９により天板２が軸ｃを中心に一方向に回転される様子を表している。軸ｃは、天板２の短手方向（被検体Ｍの体側方向Ｓ）に延びる軸である。天板回転機構９は、一方向に回転した天板２を逆方向に回転させることもできる。撮像系３，３ａ，４も天板２の相対的な位置関係を保った状態で天板２に追従して回転する。
【００２６】
Ｘ線管３には、Ｘ線の照射範囲を制限するコリメータ３ａが設けられている。コリメータ３ａは、開度の調節が可能となっている。コリメータ３ａは、図４に示すように、軸Ｃを基準として鏡像対称に移動する１対の遮蔽羽根３ｂを有し、同じく軸Ｃを基準として鏡像対称に移動するもう１対の遮蔽羽根３ｂを備えている。このコリメータ３ａは、遮蔽羽根３ｂを移動させることで、ＦＰＤ４が有する検出面４ａの全面にコーン状のＸ線Ｂを照射させることもできれば、たとえば、検出面４ａの中心部分だけにファン状のＸ線Ｂを照射させることもできる。なお、軸Ｃは、Ｘ線Ｂの中心を示す軸となっている。また、遮蔽羽根３ｂの２対のうち一方は、４角錐形状となっているＸ線Ｂの体軸方向Ａへの広がりを調整するものであり、もう一方の遮蔽羽根３ｂの対は、Ｘ線Ｂの体側方向Ｓへの広がりを調整するものである。Ｘ線管３を移動させるとコリメータ３ａもＸ線管３に伴って移動する。一対の遮蔽羽根３ｂは、Ｘ線を遮断する。
【００２７】
この様な遮蔽羽根３ｂの開閉は、図４に示すようにコリメータ駆動機構１１によって実現される。このコリメータ駆動機構１１は、具体的にはステッピングモータなどで構成できる。このコリメータ駆動機構１１は、コリメータ制御部１２に制御されて動作する。
【００２８】
Ｘ線管制御部６は、Ｘ線管３の管電流、管電圧、曝射時間などのパラメータを制御する目的で設けられている。ＦＰＤ４は、Ｘ線管３から発せられ、被検体Ｍを透過したＸ線を検出して検出信号を生成する。この検出信号は、画像生成部２１に送出され、そこで被検体Ｍの透視像の動画が生成される。
【００２９】
表示部２５は、Ｘ線撮影により取得された各画像を表示する目的で設けられている。操作卓２６は、コリメータ３ａの開度に関する術者の指示、天板２の回転に係る術者の指示、および撮像系３，３ａ，４の移動に関する術者の指示を入力させる目的で設けられている。また、主制御部２７は、各制御部を統括的に制御する目的で設けられている。この主制御部２７は、ＣＰＵによって構成され、各種のプログラムを実行することにより各制御部６，１０，１２，１４および画像生成部２１を実現している。また、上述の各部は、それらを担当する演算装置に分割されて実行されてもよい。記憶部２８は、撮影に関するパラメータの一切を記憶する。表示部２５は、被検体Ｍの透視像をリアルタイムに動画として表示する構成であり、本発明の表示手段に相当し、操作卓２６は、本発明のコンソールに相当する。
【００３０】
図５は、本発明の操作卓２６を図示した構成となっている。操作卓２６には、術者による撮像系３，３ａ，４の移動の指示を入力させる撮像系操作レバー２６ａを備えている。術者は撮像系操作レバー２６ａを傾けることができる。撮像系操作レバー２６ａの傾ける方向と傾ける角度が撮像系３，３ａ，４の移動の方向と移動の速さの指示を意味している。撮像系移動制御部１４は、撮像系操作レバー２６ａを通じた術者の入力に従い撮像系移動機構１３を制御する。本発明の撮像系操作レバー２６ａは、被検体Ｍに対する撮像系３，３ａ，４の移動に関する術者の指示を入力させる構成である。
【００３１】
また、操作卓２６には、術者による天板２の回転の指示を入力させる天板操作レバー２６ｃを備えている。術者は天板操作レバー２６ｃを傾けることができる。天板操作レバー２６ｃの傾ける方向と傾ける角度が天板２の回転方向と回転の速さの指示を意味している。天板回転制御部１０は、天板操作レバー２６ｃを通じた術者の入力に従い天板操作レバー２６ｃ天板回転機構９を制御する。天板操作レバー２６ｃは、被検体Ｍを載置する天板２の傾きに関する術者の指示を入力させる構成であり、本発明の天板操作入力手段に相当する。
【００３２】
そして、操作卓２６には、術者によるコリメータ３ａの開度変更の指示を入力させる開度変更レバー２６ｄを備えている。術者は開度変更レバー２６ｄをスライドさせることができる。開度変更レバー２６ｄの位置がコリメータ３ａの開度を意味している。コリメータ制御部１２は、開度変更レバー２６ｄを通じた術者の入力に従いコリメータ駆動機構１１を制御する。コリメータ３ａには、２対の遮蔽羽根３ｂを有している。したがって、操作卓２６には、一対の遮蔽羽根３ｂの開閉を制御する開度変更レバー２６ｄは別にもう一対の遮蔽羽根３ｂの開閉を制御する開度変更レバー２６ｄを有している。開度変更レバー２６ｄは、Ｘ線管３から照射されるＸ線の広がりを制限するコリメータ３ａの開度に関する術者の指示を入力させる構成であり、本発明のコリメータ操作入力手段に相当する。
【００３３】
このように、術者は思い通りに撮像系３，３ａ，４の移動、天板２の回転、およびコリメータ３ａの開度を調整できるようになっている。
【００３４】
図５の記録ボタン２６ｂは、術者に動画記録開始の指示を入力させる構成である。動画撮影中に術者が記録ボタン２６ｂを押下すると、その時点からの動画が動画ファイルとして記憶部２８に記録され始める。この状態で術者が記録ボタン２６ｂをもう一度押下すると、動画の記録が終了し、動画ファイルが完成する。記録ボタン２６ｂは本発明の保存指示入力手段に相当する。
【００３５】
操作卓２６には、動画を表示する表示部（モニタ）２５が置かれている。動画撮影中の術者は、この表示部２５を視認しながら操作卓２６を操作することになる。
【００３６】
操作卓２６には、図示しないフットスイッチが設けられている。このフットスイッチは、動画撮影開始の指示を術者に入力させるヒューマンインターフェースである。術者がフットスイッチを足で踏むと、動画撮影が開始される。術者がフットスイッチを踏み続けている間、動画撮影が継続される。術者がフットスイッチから足を離すと動画撮影が中止される。
【００３７】
＜本発明の最も特徴的な構成＞
続いて、本発明の最も特徴的な構成について説明する。すなわち、本発明の撮像系操作レバー２６ａと記録ボタン２６ｂとが一体化しているのである。より具体的には、記録ボタン２６ｂは、撮像系操作レバー２６ａにおける術者が握る部材に設けられており、より具体的には、記録ボタン２６ｂは握る部材の上部（より正確には頂上部）に設けられている。動画の記録開始に関する術者の指示を入力する記録ボタン２６ｂは、撮像系操作レバー２６ａに設けられている。記録ボタン２６ｂが撮像系操作レバー２６ａの上部に設けられている。なお、記録ボタン２６ｂは、撮像系操作レバー２６ａにおける術者が握る部材の側面に設けられていてもよい。
【００３８】
この様な構成とすることで、術者は撮像系操作レバー２６ａを握ったままの状態で記録ボタン２６ｂを押下することができる。図６左側は、動画撮影中の術者が撮像系操作レバー２６ａを握っている様子を示している。動画撮影中、被検体Ｍが嚥下した疑似食品は、食道を通過して胃まで達する。動画撮影はこの動きを追跡しながら行われる。また、動画撮影中に被検体Ｍが動いてしまい、疑似食品が撮影視野から外れてしまう事態も起こりえる。このように動画撮影中には疑似食品が撮影視野の中央に来るように撮像系３，３ａ，４を移動させなければならないことがよくある。したがって、動画撮影中の術者は撮像系３，３ａ，４をいつでも動かせるように撮像系操作レバー２６ａを握り続けて構えておく必要がある。
【００３９】
図６右側は、術者が記録ボタン２６ｂを押下している様子を示している。記録ボタン２６ｂは、撮像系操作レバー２６ａを握ったままでも押下できる位置に配置されているので、術者は撮像系操作レバー２６ａから手を離さずに記録ボタン２６ｂを押下することができる。
【００４０】
なお、図５で説明したように、操作卓２６には、撮像系操作レバー２６ａ以外にも天板操作レバー２６ｃや開度変更レバー２６ｄが設けられている。本発明の構成において、記録ボタン２６ｂがこれらレバー２６ｃ，２６ｄではなく撮像系操作レバー２６ａに設けられている理由について説明する。天板２の傾斜、およびコリメータ３ａの開度は、嚥下造影検査に変更されることはない。従って、術者がレバー２６ｃ，２６ｄを動画撮影中に握っているとは限らない。これに比べて、撮像系操作レバー２６ａは、撮像系３，３ａ，４を移動させる必要性から術者は必ず握っている。動画撮影中に術者が必ず握っている撮像系操作レバー２６ａに記録ボタン２６ｂを設けるようにすれば、術者は、手をわずかに動かすだけで確実に記録ボタン２６ｂを押下することができる。
【００４１】
＜動画撮影の実際＞
図７は、本発明に係るＸ線撮影装置１を用いた嚥下造影検査の手法を説明するフローチャートである。本発明に係るＸ線撮影装置１で嚥下造影検査を行うには、まず被検体Ｍが天板２に載置される（被検体載置ステップＳ１）。
【００４２】
術者が操作卓２６に付属のフットスイッチを足で踏み動画撮影開始の指示を与えると、Ｘ線管制御部６は、Ｘ線管３にＸ線の照射を開始するように制御し、ＦＰＤ４は、被検体Ｍを透過してきたＸ線の検出を開始する（動画撮影開始ステップＳ２）。動画は、被検体Ｍの現時点における透視像を示す動画であり、表示部２５に表示される。表示部２５には、被検体Ｍの透視像の現在の様子が表示される。
【００４３】
その後、術者は表示部２５に表示される動画を視認しながら撮像系操作レバー２６ａを操作する（撮像系操作ステップＳ３）。これに伴い撮像系３，３ａ，４が天板２に対して移動され、表示部２５に写り込む被検体Ｍの透視像がスクロールするように移動していく。術者は、この操作を行うことで、被検体Ｍが嚥下した疑似食品を追いながら動画の撮影を続けることができる。
【００４４】
動画を視認していた術者は、動画の記録の必要性を認識すると、握っている撮像系操作レバー２６ａに付属の記録ボタン２６ｂを押下する。この記録ボタン２６ｂは、撮像系操作レバー２６ａの頂上部に付設されていることは、術者は予め認識しているので、術者は表示部２５から目を離さずに記録ボタン２６ｂを押下することができる。記録ボタン２６ｂを押下すると、動画が動画ファイルとして記憶部２８に記録される（記録開始ステップＳ４）。この動画ファイルは、記録ボタン２６ｂが押下された時点からの被検体像の変化を表した未来方向についての動画となっている。
【００４５】
動画を視認していた術者は、動画の記録の必要性がなくなったと判断すると、握っている撮像系操作レバー２６ａに付属の記録ボタン２６ｂをもう一度押下する。このときも術者は表示部２５から目を離さずに記録ボタン２６ｂを押下することができる。記録ボタン２６ｂを押下すると、動画の記録が終了し記憶部２８において動画ファイルが完成する（記録終了ステップＳ５）。なお、術者は記録ボタン２６ｂを押下する代わりに操作卓２６に付属のフットスイッチから足を離しても動画の記録を終了させ動画ファイルを完成させることができる。
【００４６】
以上のように、本発明の操作卓２６は、記録ボタン２６ｂが撮像系操作レバー２６ａに設けられている。動画撮影中における術者の手は撮像系操作レバー２６ａを握っているので、術者は、撮像系操作レバー２６ａから手を離さずに記録ボタン２６ｂを操作することができる。術者は、撮像系操作レバー２６ａに記録ボタン２６ｂが設けられていることを予め知っているので、操作卓２６に視線を移すことなく表示部２５を視認したまま記録ボタン２６ｂを操作することができる。本発明の操作卓２６によれば、動画撮影中の術者が動画記録の開始をしたい場合、よそ見をすることなく直ちに記録を開始することができるので、動画における診断に必要な場面を確実に記録することができる。
【００４７】
また、上述のように記録ボタン２６ｂが撮像系操作レバー２６ａの上部に設けられていれば、術者が撮像系操作レバー２６ａを操作中に誤って記録ボタン２６ｂを操作してしまうことが抑制できる。
【００４８】
本発明は、上述の構成に限られず下記のように変形実施することが可能である。
【００４９】
（１）実施例では、嚥下造影検査について説明していたが、本発明は、当該検査専用の装置以外の汎用の装置についても適用することができる。
【００５０】
（２）本発明は、実施例に記載のＸ線撮影装置とは構成が異なる他の装置についても適用することができる。
【００５１】
（３）実施例において記録される動画ファイルは、記録ボタン２６ｂが押下された時点が始端となっている動画であったが、本発明はこの構成に限られない。記録ボタン２６ｂが押下された時点が動画の終端となっている動画ファイルを記録するようにしてもよい。すなわち、本変形例の動画ファイルは、記録ボタン２６ｂが押下された時点までの被検体像の変化を表した過去方向のもの動画となっている。
【００５２】
図８は、本変形例の構成を説明するタイミングチャートである。本発明に係るＸ線撮影装置には、揮発性メモリーが設けられており、撮影された動画は、現在の３０秒前を始端とし現在を終端とする動画ファイルとして一時的に保存されている。この一時的な動画ファイルは、撮影が続行されると常に更新される。つまり、揮発性メモリーに保存されていた現在の３０秒前より過去のデータは、最新のデータが上書きされることで古い順に消去されてしまっている。
【００５３】
本変形例において術者が記録ボタン２６ｂを押下すると、揮発性メモリーに一時的に記憶されている３０秒間の動画が不揮発性メモリーである記憶部２８にコピーされる。このとき記憶部２８に生成された動画ファイルは、記録ボタン２６ｂが押下される時点（押下時点）の３０秒前から押下時点まで間の被検体像の変化を示す動画となっている。この間にも揮発性メモリーにおいては、データの更新が続けられる。
【００５４】
したがって、押下時点においては、揮発性メモリー上の一時ファイルと記憶部２８上の動画ファイルは同じファイルである。押下時点から時間が経過していくうちに揮発メモリー上の一時ファイルの更新が進み、３０秒後には、一時ファイルの全内容が更新される。一方、記憶部２８上にコピーされた動画ファイルは、このまま残存するので、術者は、撮影の終了後に動画ファイルに係る動画を視認することが可能である。
【符号の説明】
【００５５】
２     天板
３     Ｘ線管（放射線源）
３，３ａ，４  撮像系
３ａ   コリメータ
２５   表示部（表示手段）
２６   操作卓（コンソール）
２６ａ 撮像系操作レバー
２６ｂ 記録ボタン（保存指示入力手段）
２６ｃ 天板操作レバー（天板操作入力手段）
２６ｄ 開度変更レバー（コリメータ操作入力手段）
【図１】
0006544130.tif 000002
【図２】
0006544130.tif 000003
【図３】
0006544130.tif 000004
【図４】
0006544130.tif 000005
【図５】
0006544130.tif 000006
【図６】
0006544130.tif 000007
【図７】
0006544130.tif 000008
【図８】
0006544130.tif 000009
【図９】
0006544130.tif 000010
【図１０】
0006544130.tif 000011
【図１１】
0006544130.tif 000012